【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
発光手段と、
前記発光手段が発した光を画像データに応じた透過率で透過することにより、画面に画像を表示する表示手段と、
入力画像データの輝度を表す輝度特徴量を取得する取得手段と、
前記取得手段で取得された輝度特徴量に対して、時間方向における輝度特徴量の変化を抑制する第１平滑化処理を施す第１平滑化手段と、
前記第１平滑化処理が施された輝度特徴量に基づいて、前記発光手段の発光輝度を制御する第１制御手段と、
前記発光手段の発光輝度に応じて、発光輝度の低下による前記画面に表示された画像の輝度の低下を抑制する処理を、前記入力画像データに対して施す第２制御手段と、
を有し、
前記第１平滑化手段は、所定値以上の速さで前記入力画像データの輝度が所定時間増加した場合に、前記第１平滑化処理による輝度特徴量の変化の抑制度合いを低減する
ことを特徴とする画像表示装置。
【請求項２】
前記第１平滑化手段は、所定値以上の速さで前記入力画像データの輝度が所定時間増加した場合に、前記第１平滑化処理による輝度特徴量の変化の抑制度合いを０にする
ことを特徴とする請求項１に記載の画像表示装置。
【請求項３】
前記入力画像データのシーンの切り替わりを検出する検出手段を有し、
前記第１平滑化手段は、前記検出手段でシーンの切り替わりが検出された場合に、前記第１平滑化処理による輝度特徴量の変化の抑制度合いを低減する
ことを特徴とする請求項１または２に記載の画像表示装置。
【請求項４】
前記第１平滑化手段は、前記検出手段でシーンの切り替わりが検出された場合に、前記第１平滑化処理による輝度特徴量の変化の抑制度合いを０にする
ことを特徴とする請求項３に記載の画像表示装置。
【請求項５】
前記第１制御手段は、
前記第１平滑化処理が施された輝度特徴量に応じて発光輝度を決定する決定手段と、
時間方向における発光輝度の変化を抑制する第２平滑化処理を前記決定手段で決定された発光輝度に施し、前記発光手段の発光輝度を、前記第２平滑化処理が施された発光輝度に制御する第２平滑化手段と、
を有する
ことを特徴とする請求項１または２に記載の画像表示装置。
【請求項６】
前記入力画像データのシーンの切り替わりを検出する検出手段を有し、
前記第１平滑化手段は、前記検出手段でシーンの切り替わりが検出された場合に、前記第１平滑化処理による輝度特徴量の変化の抑制度合いを低減し、
前記第２平滑化手段は、前記検出手段でシーンの切り替わりが検出された場合に、前記第２輝度平滑化処理による発光輝度の変化の抑制度合いを低減する
ことを特徴とする請求項５に記載の画像表示装置。
【請求項７】
前記第１平滑化手段は、前記検出手段でシーンの切り替わりが検出された場合に、前記第１平滑化処理による輝度特徴量の変化の抑制度合いを０にし、
前記第２平滑化手段は、前記検出手段でシーンの切り替わりが検出された場合に、前記第２平滑化処理による発光輝度の変化の抑制度合いを０にする
ことを特徴とする請求項６に記載の画像表示装置。
【請求項８】
前記取得手段で取得された輝度特徴量に基づいて、所定値以上の速さで前記入力画像データの輝度が所定時間増加したか否かを判定する判定手段、をさらに有する
ことを特徴とする請求項１〜７のいずれか１項に記載の画像表示装置。
【請求項９】
前記判定手段は、
現フレームの輝度特徴量から、現フレームまでのＬフレーム（Ｌは２以上の整数）の輝度特徴量の平均値を減算した差分値が閾値以上であるか否かを判定し、
前記差分値が前記閾値以上であるとＭフレーム（Ｍは２以上の整数）以上続けて判定されている場合に、現フレームに対し、所定値以上の速さで前記入力画像データの輝度が所定時間増加したと判定する
ことを特徴とする請求項８に記載の画像表示装置。
【請求項１０】
前記判定手段は、
前記閾値として、現フレームの輝度が低いほど大きい値を用い、
前記Ｍの値として、現フレームの輝度が低いほど大きい値を用いる
ことを特徴とする請求項９に記載の画像表示装置。
【請求項１１】
前記判定手段は、１つ前のフレームにおいて、所定値以上の速さで前記入力画像データの輝度が所定時間増加したと判定されており、且つ、１つ前のフレームから現フレームにかけて輝度が増加した場合に、前記閾値と前記Ｍの値とを低減して現フレームに対する判定を行う
ことを特徴とする請求項９に記載の画像表示装置。
【請求項１２】
複数フレームの輝度特徴量を記憶する記憶手段を有し、
前記第１平滑化手段は、
前記記憶手段に記憶されている現フレームまでのＮフレーム（Ｎは２以上の整数）の輝度特徴量の平均値を、前記第１平滑化処理が施された輝度特徴量として決定し、
所定値以上の速さで前記入力画像データの輝度が所定時間増加した場合に、前記記憶手段に記憶されている前記Ｎフレームの輝度特徴量のうち、最先のフレームからＰフレーム（Ｐは１以上Ｎ−１以下の整数）の輝度特徴量を、前記現フレームの輝度特徴量に書き換える
ことを特徴とする請求項１〜１１のいずれか１項に記載の画像表示装置。
【請求項１３】
前記第１平滑化手段は、所定値以上の速さで前記入力画像データの輝度が所定時間増加してから、前記入力画像データの輝度の増加が止まるまで、前記第１平滑化処理による輝度特徴量の変化の抑制度合いを低減する
ことを特徴とする請求項１〜１２のいずれか１項に記載の画像表示装置。
【請求項１４】
前記輝度特徴量は、入力画像データの各画素の輝度値の最大値である
ことを特徴とする請求項１〜１３のいずれか１項に記載の画像表示装置。
【請求項１５】
発光手段と、
前記発光手段が発した光を画像データに応じた透過率で透過することにより、画面に画像を表示する表示手段と、
入力画像データの輝度を表す輝度特徴量を取得する取得手段と、
前記取得手段で取得された輝度特徴量に基づいて、前記発光手段の発光輝度を決定する決定手段と、
前記決定手段で決定された発光輝度に対して、時間方向における発光輝度の変化を抑制する平滑化処理を施し、前記発光手段の発光輝度を、前記平滑化処理が施された発光輝度に制御する平滑化手段と、
前記発光手段の発光輝度に応じて、発光輝度の低下による前記画面に表示された画像の輝度の低下を抑制する処理を、前記入力画像データに対して施す制御手段と、
を有し、
前記平滑化手段は、所定値以上の速さで前記入力画像データの輝度が所定時間増加した場合に、前記平滑化処理による発光輝度の変化の抑制度合いを低減する
ことを特徴とする画像表示装置。
【請求項１６】
発光手段と、前記発光手段が発した光を画像データに応じた透過率で透過することにより、画面に画像を表示する表示手段と、を有する画像表示装置の制御方法であって、
入力画像データの輝度を表す輝度特徴量を取得する取得ステップと、
前記取得ステップで取得された輝度特徴量に対して、時間方向における輝度特徴量の変化を抑制する平滑化処理を施す平滑化ステップと、
前記平滑化処理が施された輝度特徴量に基づいて、前記発光手段の発光輝度を制御する第１制御ステップと、
前記発光手段の発光輝度に応じて、発光輝度の低下による前記画面に表示された画像の輝度の低下を抑制する処理を、前記入力画像データに対して施す第２制御ステップと、
を有し、
前記平滑化ステップでは、所定値以上の速さで前記入力画像データの輝度が所定時間増加した場合に、前記平滑化処理による輝度特徴量の変化の抑制度合いを低減する
ことを特徴とする画像表示装置の制御方法。
【請求項１７】
発光手段と、前記発光手段が発した光を画像データに応じた透過率で透過することにより、画面に画像を表示する表示手段と、を有する画像表示装置の制御方法であって、
入力画像データの輝度を表す輝度特徴量を取得する取得ステップと、
前記取得ステップで取得された輝度特徴量に基づいて、前記発光手段の発光輝度を決定する決定ステップと、
前記決定ステップで決定された発光輝度に対して、時間方向における発光輝度の変化を抑制する平滑化処理を施し、前記発光手段の発光輝度を、前記平滑化処理が施された発光輝度に制御する平滑化ステップと、
前記発光手段の発光輝度に応じて、発光輝度の低下による前記画面に表示された画像の輝度の低下を抑制する処理を、前記入力画像データに対して施す制御ステップと、
を有し、
前記平滑化ステップでは、所定値以上の速さで前記入力画像データの輝度が所定時間増加した場合に、前記平滑化処理による発光輝度の変化の抑制度合いを低減する
ことを特徴とする画像表示装置の制御方法。
【手続補正２】
【補正対象書類名】明細書
【補正対象項目名】０００６
【補正方法】変更
【補正の内容】
【０００６】
本発明の第１の態様は、
発光手段と、
前記発光手段が発した光を画像データに応じた透過率で透過することにより、画面に画像を表示する表示手段と、
入力画像データの輝度を表す輝度特徴量を取得する取得手段と、
前記取得手段で取得された輝度特徴量に対して、時間方向における輝度特徴量の変化を抑制する第１平滑化処理を施す第１平滑化手段と、
前記第１平滑化処理が施された輝度特徴量に基づいて、前記発光手段の発光輝度を制御する第１制御手段と、
前記発光手段の発光輝度に応じて、発光輝度の低下による前記画面に表示された画像の輝度の低下を抑制する処理を、前記入力画像データに対して施す第２制御手段と、
を有し、
前記第１平滑化手段は、所定値以上の速さで前記入力画像データの輝度が所定時間増加した場合に、前記第１平滑化処理による輝度特徴量の変化の抑制度合いを低減する
ことを特徴とする画像表示装置である。
【手続補正３】
【補正対象書類名】明細書
【補正対象項目名】０００７
【補正方法】変更
【補正の内容】
【０００７】
本発明の第２の態様は、
発光手段と、
前記発光手段が発した光を画像データに応じた透過率で透過することにより、画面に画像を表示する表示手段と、
入力画像データの輝度を表す輝度特徴量を取得する取得手段と、
前記取得手段で取得された輝度特徴量に基づいて、前記発光手段の発光輝度を決定する決定手段と、
前記決定手段で決定された発光輝度に対して、時間方向における発光輝度の変化を抑制する平滑化処理を施し、前記発光手段の発光輝度を、前記平滑化処理が施された発光輝度に制御する平滑化手段と、
前記発光手段の発光輝度に応じて、発光輝度の低下による前記画面に表示された画像の輝度の低下を抑制する処理を、前記入力画像データに対して施す制御手段と、
を有し、
前記平滑化手段は、所定値以上の速さで前記入力画像データの輝度が所定時間増加した場合に、前記平滑化処理による発光輝度の変化の抑制度合いを低減する
ことを特徴とする画像表示装置である。
【手続補正４】
【補正対象書類名】明細書
【補正対象項目名】０００８
【補正方法】変更
【補正の内容】
【０００８】
本発明の第３の態様は、
発光手段と、前記発光手段が発した光を画像データに応じた透過率で透過することにより、画面に画像を表示する表示手段と、を有する画像表示装置の制御方法であって、
入力画像データの輝度を表す輝度特徴量を取得する取得ステップと、
前記取得ステップで取得された輝度特徴量に対して、時間方向における輝度特徴量の変化を抑制する平滑化処理を施す平滑化ステップと、
前記平滑化処理が施された輝度特徴量に基づいて、前記発光手段の発光輝度を制御する第１制御ステップと、
前記発光手段の発光輝度に応じて、発光輝度の低下による前記画面に表示された画像の輝度の低下を抑制する処理を、前記入力画像データに対して施す第２制御ステップと、
を有し、
前記平滑化ステップでは、所定値以上の速さで前記入力画像データの輝度が所定時間増加した場合に、前記平滑化処理による輝度特徴量の変化の抑制度合いを低減する
ことを特徴とする画像表示装置の制御方法である。
【手続補正５】
【補正対象書類名】明細書
【補正対象項目名】０００９
【補正方法】変更
【補正の内容】
【０００９】
本発明の第４の態様は、
発光手段と、前記発光手段が発した光を画像データに応じた透過率で透過することにより、画面に画像を表示する表示手段と、を有する画像表示装置の制御方法であって、
入力画像データの輝度を表す輝度特徴量を取得する取得ステップと、
前記取得ステップで取得された輝度特徴量に基づいて、前記発光手段の発光輝度を決定する決定ステップと、
前記決定ステップで決定された発光輝度に対して、時間方向における発光輝度の変化を抑制する平滑化処理を施し、前記発光手段の発光輝度を、前記平滑化処理が施された発光輝度に制御する平滑化ステップと、
前記発光手段の発光輝度に応じて、発光輝度の低下による前記画面に表示された画像の輝度の低下を抑制する処理を、前記入力画像データに対して施す制御ステップと、
を有し、
前記平滑化ステップでは、所定値以上の速さで前記入力画像データの輝度が所定時間増加した場合に、前記平滑化処理による発光輝度の変化の抑制度合いを低減する
ことを特徴とする画像表示装置の制御方法である。